(57)【要約】【課題】電力負荷への給電用の電力の供給開始時における動作の途中停止の発生を抑制することができる給電制御装置、及び給電制御プログラムを得る。【解決手段】コネクタ１２Ａ，１２Ｂによって接続された一次側電子機器２０から供給された電力の電力負荷５６及びＣＰＵ５８に対する通電及び通電停止を切り替えるスイッチ部５４を備え、ＰＷＭ制御部６０によって一次側電子機器２０による電力供給開始時に、予め定められた切替条件で、スイッチ部５４による一次側電子機器２０から供給される電力の前記電力負荷に対する単位時間当たりの通電期間が予め定められた開始通電期間から最終的な通電状態となる最終通電期間に至るまで徐々に増加するようにスイッチ部５４を制御し、一次側電子機器２０による電力供給開始時に異常が生じたと判定した場合に、切替条件を当該異常が生じたときの条件より緩和するように変更する。【選択図】図１
2009100495.tif 000002
【特許請求の範囲】
【請求項１】
予め定められた電力負荷への給電用の電力を供給する供給装置が接続されて当該電力が供給される接続手段と、
前記接続手段によって接続された前記供給装置から当該接続手段を介して供給された電力の前記電力負荷に対する通電及び通電停止を切り替える切替手段と、
前記供給装置による電力供給開始時に、予め定められた切替条件で、前記切替手段による前記供給装置から供給される電力の前記電力負荷に対する単位時間当たりの通電期間が予め定められた開始通電期間から最終的な通電状態となる最終通電期間に至るまで徐々に増加するように前記切替手段を制御する制御手段と、
前記供給装置による電力供給開始時に異常が生じたか否かを判定する判定手段と、
前記判定手段によって異常が生じたと判定された場合に、前記切替条件を当該異常が生じたときの条件より緩和するように変更する変更手段と、
を備えた給電制御装置。
【請求項２】
前記制御手段により前記制御が行われているときに前記通電期間を逐次記憶する記憶手段を更に備え、
前記判定手段は、前記記憶手段によって記憶されている前記通電期間が前記最終通 電期間に至っていないか否かを判定することにより、前記異常が生じたか否かを判定することを特徴とする請求項１記載の給電制御装置。
【請求項３】
前記判定手段は、前記供給装置において前記給電用の電力の異常な低下が発生したか否かを判定することにより、前記異常が生じたか否かを判定することを特徴とする請求項１又は請求項２記載の給電制御装置。
【請求項４】
前記変更手段による前記切替条件の変更は、前記開始通電期間から前記最終通電期間に至るまでの期間を、前記異常が生じたときの期間より長くする変更であることを特徴とする請求項１〜請求項３の何れか１項記載の給電制御装置。
【請求項５】
前記変更手段による前記切替条件の変更は、前記開始通電期間を、前記異常が生じたときの開始通電期間より短くする変更であることを特徴とする請求項１〜請求項４の何れか１項記載の給電制御装置。
【請求項６】
前記制御手段は、前記通電期間が前記最終通電期間に至るまで、前記電力負荷の動作を停止させるための制御を更に行うことを特徴とする請求項１〜請求項５の何れか１項記載の給電制御装置。
【請求項７】
前記電力負荷への前記給電用の電力を、自身の駆動用の電力として共用させるための接続配線を更に備えたことを特徴とする請求項１〜請求項６の何れか１項記載の給電制御装置。
【請求項８】
予め定められた電力負荷への給電用の電力を供給する供給装置から供給された電力の前記電力負荷に対する通電及び通電停止を切り替える切替手段を備えた給電制御装置において実行される給電制御プログラムであって、
前記供給装置による電力供給開始時に、予め定められた切替条件で、前記切替手段による前記供給装置から供給される電力の前記電力負荷に対する単位時間当たりの通電期間が予め定められた開始通電期間から最終的な通電状態となる最終通電期間に至るまで徐々に増加するように前記切替手段を制御する制御ステップと、
前記供給装置による電力供給開始時に異常が生じたか否かを判定する判定ステップと、
前記判定ステップによって異常が生じたと判定された場合に、前記切替条件を当該異常が生じたときの条件より緩和するように変更する変更ステップと、
をコンピュータに実行させる給電制御プログラム。
【発明の詳細な説明】
【技術分野】
【０００１】
本発明は、給電制御装置、及び給電制御プログラムに関する。
【背景技術】
【０００２】
電子機器に備えられている電力負荷に対して電力を安定して供給させるための技術として、特許文献１には、電子機器に備えられている電力負荷への直流電圧の供給をスイッチ素子を介して行い、当該電力負荷へ通電を開始する際に、ＰＷＭ（Ｐｕｌｓｅ  Ｗｉｄｔｈ  Ｍｏｄｕｌａｔｉｏｎ）回路でデューティ比が徐々に増加する駆動パルスを生成し、生成した駆動パルスによってスイッチ素子を制御することで、突入電流に起因する電圧降下を抑制させる技術が開示されている。
【０００３】
また、特許文献２には、通常動作モードと待機動作モードを有する電源回路において、待機動作モードから通常動作モードに移行する際に、第１の電圧出力端子から出力される電圧が降下した場合に、第２の電圧出力端子から出力される電圧を上昇させることで、電圧降下の影響を緩和させる技術が開示されている。
【特許文献１】特開平５−１６１２６２号公報
【特許文献２】特開２００１−３３９９５０号公報
【発明の開示】
【発明が解決しようとする課題】
【０００４】
本発明は、電力負荷への給電用の電力の供給開始時における動作の途中停止の発生を抑制することができる給電制御装置、及び給電制御プログラムを提供することを目的とする。
【課題を解決するための手段】
【０００５】
上記目的を達成するために、請求項１に記載の発明は、予め定められた電力負荷への給電用の電力を供給する供給装置が接続されて当該電力が供給される接続手段と、前記接続手段によって接続された前記供給装置から当該接続手段を介して供給された電力の前記電力負荷に対する通電及び通電停止を切り替える切替手段と、前記供給装置による電力供給開始時に、予め定められた切替条件で、前記切替手段による前記供給装置から供給される電力の前記電力負荷に対する単位時間当たりの通電期間が予め定められた開始通電期間から最終的な通電状態となる最終通電期間に至るまで徐々に増加するように前記切替手段を制御する制御手段と、前記供給装置による電力供給開始時に異常が生じたか否かを判定する判定手段と、前記判定手段によって異常が生じたと判定された場合に、前記切替条件を当該異常が生じたときの条件より緩和するように変更する変更手段と、を備えている。
【０００６】
また、請求項２に記載の発明は、請求項１の発明において、前記制御手段により前記制御が行われているときに前記通電期間を逐次記憶する記憶手段を更に備え、前記判定手段が、前記記憶手段によって記憶されている前記通電期間が前記最終通電期間に至っていないか否かを判定することにより、前記異常が生じたか否かを判定することを特徴とする。
【０００７】
また、請求項３に記載の発明は、請求項１又は請求項２記載の発明において、前記判定手段が、前記供給装置において前記給電用の電力の異常な低下が発生したか否かを判定することにより、前記異常が生じたか否かを判定することを特徴とする。
【０００８】
また、請求項４に記載の発明は、請求項１〜請求項３の何れか１項に記載の発明において、前記変更手段による前記切替条件の変更が、前記開始通電期間から前記最終通電期間に至るまでの期間を、前記異常が生じたときの期間より長くする変更であることを特徴とする。
【０００９】
また、請求項５に記載の発明は、請求項１〜請求項４の何れか１項に記載の発明において、前記変更手段による前記切替条件の変更が、前記開始通電期間を、前記異常が生じたときの開始通電期間より短くする変更であることを特徴とする。
【００１０】
また、請求項６に記載の発明は、請求項１〜請求項５の何れか１項に記載の発明において、前記制御手段が、前記通電期間が前記最終通電期間に至るまで、前記電力負荷の動作を停止させるための制御を更に行うことを特徴とする。
【００１１】
更に、請求項７に記載の発明は、請求項１〜請求項６の何れか１項に記載の発明において、前記電力負荷への前記給電用の電力を、自身の駆動用の電力として共用させるための接続配線を更に備えたことを特徴とする。
【００１２】
一方、上記目的を達成するために、請求項８に記載の発明は、予め定められた電力負荷への給電用の電力を供給する供給装置から供給された電力の前記電力負荷に対する通電及び通電停止を切り替える切替手段を備えた給電制御装置において実行される給電制御プログラムであって、前記供給装置による電力供給開始時に、予め定められた切替条件で、前記切替手段による前記供給装置から供給される電力の前記電力負荷に対する単位時間当たりの通電期間が予め定められた開始通電期間から最終的な通電状態となる最終通電期間に至るまで徐々に増加するように前記切替手段を制御する制御ステップと、前記供給装置による電力供給開始時に異常が生じたか否かを判定する判定ステップと、前記判定ステップによって異常が生じたと判定された場合に、前記切替条件を当該異常が生じたときの条件より緩和するように変更する変更ステップと、をコンピュータに実行させるものである。
【発明の効果】
【００１３】
請求項１及び請求項８に記載の発明によれば、本発明を適用しない場合に比較して、電力負荷への給電用の電力の供給開始時における動作の途中停止の発生を抑制することができる、という優れた効果を有する。
【００１４】
また、請求項２に記載の発明によれば、本発明を適用しない場合に比較して、より簡易に前記途中停止の発生を抑制することができる、という優れた効果を有する。
【００１５】
また、請求項３に記載の発明によれば、本発明を適用しない場合に比較して、より確実に前記途中停止の発生を抑制することができる、という優れた効果を有する。
【００１６】
また、請求項４に記載の発明によれば、本発明を適用しない場合に比較して、より簡易に前記途中停止の発生を抑制することができる、という優れた効果を有する。
【００１７】
また、請求項５に記載の発明によれば、本発明を適用しない場合に比較して、より簡易に前記途中停止の発生を抑制することができる、という優れた効果を有する。
【００１８】
また、請求項６に記載の発明によれば、電力負荷に対する通電及び通電停止の切り替えを行っている際における電力負荷の誤動作を防止することができる、という優れた効果を有する。
【００１９】
更に、請求項７に記載の発明によれば、本発明を適用しない場合に比較して、より簡易に本発明を低コストかつ省スペースで実現できる、という優れた効果を有する。
【発明を実施するための最良の形態】
【００２０】
以下、図面を参照して、本発明の実施の形態について詳細に説明する。なお、本実施の形態では、本発明を、一次側電子機器にコネクタを介して接続され、当該一次側電子機器から給電用の電力の供給を受ける二次側電子機器を含んで構成された給電システムに適用した場合について説明する。
［第１の実施の形態］
本実施の形態に係る給電システム１０は、コネクタ１２Ａを備えた一次側電子機器２０と、コネクタ１２Ａに電気的かつ機械的に接続されるコネクタ１２Ｂを備えた二次側電子機器５０と、を含んで構成されており、二次側電子機器５０は、コネクタ１２Ｂがコネクタ１２Ａに接続されることにより、コネクタ１２Ａ，１２Ｂを介して一次側電子機器２０から給電用の電力が供給される。
【００２１】
一次側電子機器２０は、ＡＣ／ＤＣ変換器２２と、電力負荷２４Ａ及び電力負荷２４Ｂと、ＣＰＵ（中央処理装置）２６と、電圧監視器２８とを含んで構成されている。
【００２２】
ＡＣ／ＤＣ変換器２２は、プラグ３２を介して入力された交流の商用電力を直流に変換すると共に、予め定められた第１電圧Ｖ１及び第２電圧Ｖ２の２種類の電圧レベルとして各々個別に出力する。
【００２３】
一方、電力負荷２４Ａ及び２４Ｂは、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を含んで構成された、一次側電子機器２０の電気的負荷である。
【００２４】
ここで、電力負荷２４Ａは、ＡＣ／ＤＣ変換器２２の第１電圧Ｖ１が出力される出力端に配線３４Ａを介して電気的に接続されると共に、ＡＣ／ＤＣ変換器２２のグランド端子に配線３４Ｃを介して電気的に接続されており、電力負荷２４Ａには、ＡＣ／ＤＣ変換器２２から電圧が第１電圧Ｖ１とされた駆動用の電力が供給される。また、電力負荷２４Ｂは、ＡＣ／ＤＣ変換器２２の第２電圧Ｖ２が出力される出力端に配線３４Ｂを介して電気的に接続されると共に、ＡＣ／ＤＣ変換器２２のグランド端子に配線３４Ｃを介して電気的に接続されており、電力負荷２４Ｂには、ＡＣ／ＤＣ変換器２２から電圧が第２電圧Ｖ２とされた駆動用の電力が供給される。
【００２５】
また、ＣＰＵ２６は、一次側電子機器２０の全体的な動作を司るものであって、配線３４Ｂ及び配線３４Ｃに電気的に接続されており、ＣＰＵ２６には、ＡＣ／ＤＣ変換器２２から電圧が第２電圧Ｖ２とされた駆動用の電力が供給される。
【００２６】
なお、本実施の形態に係るＣＰＵ２６は、出力端から二次側電子機器５０へモード移行信号を送信する。ここで、当該モード移行信号には、二次側電子機器５０の電力負荷の動作を停止させ消費電力を抑えた状態にした待機モードから、二次側電子機器５０の電力負荷を動作させる通常モードへ移行させる通常モード移行信号、及び上記通常モードから上記待機モードへ移行させる待機モード移行信号がある。
【００２７】
一方、電圧監視器２８は、配線３４Ａ及び配線３４Ｃに接続されると共に、配線３４Ｂ及び配線３４Ｃに接続されており、第１電圧Ｖ１及び第２電圧Ｖ２の電圧レベルを検出する役割を有している。
【００２８】
なお、本実施の形態に係る電圧監視器２８は、ＣＰＵ２６と接続されており、第１電圧Ｖ１及び第２電圧Ｖ２の少なくとも一方が、各々対応して予め定められた規定レベルに達していない場合はアサート（ａｓｓｅｒｔ）状態とし、当該規定レベル以上となっている場合はネゲート（ｎｅｇａｔ）状態とした、ＣＰＵ２６の動作を停止させるためのリセット信号をＣＰＵ２６に送信する。
【００２９】
また、一次側電子機器２０では、配線３４Ａ、配線３４Ｂ、配線３４Ｃ及びＣＰＵ２６の出力端に接続されている信号線が、コネクタ１２Ａに設けられている一次側端子３０に接続されており、コネクタ１２Ａを介して二次側電子機器５０が接続された状態で、当該二次側電子機器５０に対して、給電用の電力を供給することができる。
【００３０】
一方、二次側電子機器５０は、コネクタ１２Ｂがコネクタ１２Ａと接続されることで、配線３４Ａ、３４Ｂ、３４Ｃ、及びＣＰＵ２６の出力端に接続されている信号線が、コネクタ１２Ｂに設けられている、各々に対応する二次側端子５２と電気的に接続される。
【００３１】
二次側電子機器５０は、スイッチ部５４と、電力負荷５６と、ＣＰＵ５８と、ＰＷＭ制御部６０と、ＰＷＭ制御状態記憶部６２とを含んで構成されている。
【００３２】
スイッチ部５４は、コネクタ１２Ａ，１２Ｂによって接続された一次側電子機器２０から、コネクタ１２Ａ，１２Ｂを介して供給された電力の電力負荷５６やＣＰＵ５８に対する通電及び通電停止を切り替える。
【００３３】
本実施の形態に係るスイッチ部５４は、ＦＥＴ（Ｆｉｅｌｄ  Ｅｆｆｅｃｔ  Ｔｒａｎｓｉｓｔｏｒ）で構成されており、ソース端子がコネクタ１２Ｂに設けられている二次側端子５２に電気的に接続され、ドレイン端子が電力負荷５６及びＣＰＵ５８と電気的に接続され、ゲート端子がＰＷＭ制御部６０と電気的に接続されており、コネクタ１２Ｂがコネクタ１２Ａと接続されることで配線３４Ａを介してスイッチ部５４には、第１電圧Ｖ１が印加される。
【００３４】
一方、電力負荷５６は、ＲＯＭ、ＲＡＭ等を含んで構成された、二次側電子機器５０の電気的負荷であって、スイッチ部５４のドレイン端子に電気的に接続されると共にコネクタ１２Ｂに設けられている二次側端子５２に電気的に接続されており、コネクタ１２Ｂがコネクタ１２Ａと接続されることで、ＡＣ／ＤＣ変換器２２のグランド端子に配線３４Ｃを介して電気的に接続され、スイッチ部５４が閉じられることでＡＣ／ＤＣ変換器２２の第１電圧Ｖ１が出力される出力端に配線３４Ａを介して接続され、電力負荷５６には、ＡＣ／ＤＣ変換器２２から電圧が第１電圧Ｖ１とされた駆動用の電力が供給される。
【００３５】
一方、ＣＰＵ５８は、二次側電子機器５０の電気的負荷であると共に、電力負荷５６の制御を司るものであって、スイッチ部５４のドレイン端子に電気的に接続されると共にコネクタ１２Ｂに設けられている二次側端子５２に電気的に接続されており、コネクタ１２Ｂがコネクタ１２Ａと接続されることで、ＡＣ／ＤＣ変換器２２のグランド端子に配線３４Ｃを介して電気的に接続され、スイッチ部５４が閉じられることでＡＣ／ＤＣ変換器２２の第１電圧Ｖ１が出力される出力端に配線３４Ａを介して接続され、ＣＰＵ５８には、ＡＣ／ＤＣ変換器２２から電圧が第１電圧Ｖ１とされた駆動用の電力が供給される。
【００３６】
また、ＰＷＭ制御部６０は、一次側電子機器２０による電力供給開始時に、予め定められた切替条件で、スイッチ部５４による一次側電子機器２０から供給される電力の電力負荷５６やＣＰＵ５８に対する単位時間当たりの通電期間が、予め定められた開始通電期間から最終的な通電状態となる最終通電期間に至るまで徐々に増加するようにスイッチ部５４を制御する。
【００３７】
なお、上記通電期間は、ＰＷＭ制御部６０で生成されてスイッチ部５４のゲート端子へ入力されるパルス信号のデューティ比で定められる。すなわち、本実施の形態に係るＰＷＭ制御部６０は、デューティ比を予め定められた開始デューティ比から最終的な通電状態となる最終デューティ比に至るまで徐々に増加させたパルス信号を生成して、スイッチ部５４に入力することでスイッチ部５４をＰＷＭ制御する。また、上記切替条件は、開始デューティ比から最終デューティ比に至るまでの期間、及び開始デューティ比の大きさである。
【００３８】
ここで、ＰＷＭ制御部６０は、出力端がスイッチ部５４のゲート端子と電気的に接続されている他に、コネクタ１２Ｂに設けられている二次側端子５２に電気的に接続されており、コネクタ１２Ｂがコネクタ１２Ａと接続されることで、ＡＣ／ＤＣ変換器２２の第２電圧Ｖ２が出力される出力端に配線３４Ｂを介して接続されると共にＡＣ／ＤＣ変換器２２のグランド端子に配線３４Ｃを介して電気的に接続され、ＰＷＭ制御部６０には、ＡＣ／ＤＣ変換器２２から電圧が第２電圧Ｖ２とされた駆動用の電力が供給される。
【００３９】
また、ＰＷＭ制御部６０は、入力端の１つがコネクタ１２Ｂに設けられている二次側端子５２と電気的に更に接続されており、コネクタ１２Ｂがコネクタ１２Ａと接続されることで、ＣＰＵ２６と電気的に接続され、ＣＰＵ２６から送信されてくるモード移行信号を受信する。また、ＰＷＭ制御部６０は、ＣＰＵ５８と電気的に接続されており、電力供給開始時において、スイッチ部５４に入力するパルス信号が最終デューティ比に達していない場合はアサート（ａｓｓｅｒｔ）状態とし、当該パルス信号が最終デューティ比に達している場合はネゲート（ｎｅｇａｔ）状態とした、ＣＰＵ５８の動作を停止させるためのリセット信号をＣＰＵ５８に送信する。
【００４０】
さらに、ＰＷＭ制御部６０は、ＰＷＭ制御状態記憶部６２と電気的に接続され、情報の送受信を行う。
【００４１】
ＰＷＭ制御状態記憶部６２は、例えば、ＲＡＭ、フラッシュメモリ、又はＨＤＤ（Ｈａｒｄ  Ｄｉｓｋ  Ｄｒｉｖｅ）等の記憶媒体であり、ＰＷＭ制御部６０によってスイッチ部５４に対してＰＷＭ制御が行われているときに、スイッチ部５４に入力されるパルス信号のデューティ比を逐次記憶する。
【００４２】
なお、本実施の形態に係るＰＷＭ制御状態記憶部６２は、スイッチ部５４に入力されるパルス信号のデューティ比を示す情報がＰＷＭ制御部６０から送信され、当該情報を切替状態情報として逐次記憶する。切替状態情報は、スイッチ部５４に入力されるパルス信号のデューティ比が開始デューティ比であることを示す切替開始状態、スイッチ部５４に入力されるパルス信号のデューティ比が最終デューティ比（本実施の形態では１００％）であることを示す切替終了状態、及びスイッチ部５４に入力されるパルス信号のデューティ比が開始デューティ比と最終デューティ比との間のデューティ比であることを示す切替制御状態の何れかを示す。さらに、本実施の形態に係るＰＷＭ制御状態記憶部６２は、スイッチ部５４に入力されるパルス信号の開始デューティ比、及び切替制御状態における単位時間当たりのデューティ比の増加量を記憶する。
【００４３】
ここで、ＰＷＭ制御状態記憶部６２は、コネクタ１２Ｂに設けられている二次側端子５２に電気的に接続されており、コネクタ１２Ｂがコネクタ１２Ａと接続されることで、ＡＣ／ＤＣ変換器２２の第２電圧Ｖ２が出力される出力端に配線３４Ｂを介して接続されると共にＡＣ／ＤＣ変換器２２のグランド端子に配線３４Ｃを介して電気的に接続され、ＰＷＭ制御状態記憶部６２には、ＡＣ／ＤＣ変換器２２から電圧が第２電圧Ｖ２とされた駆動用の電力が供給される。
【００４４】
次に、図２を参照して、本実施の形態に係る二次側電子機器５０の作用を説明する。なお、図２は、ＰＷＭ制御部６０が通常モード移行信号をＣＰＵ２６から受信した場合に、ＰＷＭ制御部６０によって実行される給電制御プログラムの処理の流れを示すフローチャートである。
【００４５】
まず、ステップ１００では、ＰＷＭ制御状態記憶部６２によって記憶されている切替状態情報を読み出す。
【００４６】
次のステップ１０２では、読み出した切替状態情報が切替終了状態を示しているか否かを判定する。肯定判定となった場合はステップ１０６へ移行し、否定判定となった場合はステップ１０４へ移行する。なお、切替状態情報が切替終了状態を示している場合とは、前回の一次側電子機器２０から二次側電子機器５０への給電の開始におけるＰＷＭ制御の際に、一次側電子機器２０又は二次側電子機器５０に異常が生じることなく、給電制御が正常に終了していた場合である。一方、読み出した切替状態情報が切替終了状態でない場合とは、切替状態情報が切替開始状態又は切替制御状態を示している場合であり、一次側電子機器２０又は二次側電子機器５０に生じた突入電流に起因する電圧降下等を原因として、スイッチ部５４に入力されるパルス信号が最終デューティ比に至る前に一次側電子機器２０からの給電用の電力の供給が停止し、前回の給電制御が途中で停止した場合である。
【００４７】
ステップ１０４では、切替条件を異常が生じたときの条件より緩和するように変更する、切替条件変更処理を実行する。当該切替条件変更処理とは、パルス信号の切替条件である開始デューティ比をそれまでより短く変更する、又は切替制御状態の期間をそれまでより長く変更する処理である。
【００４８】
ここで、図３に示される、タイミングチャートを用いて本実施の形態に係る切替条件変更処理について詳細に説明する。図３（Ａ）は、前回の給電制御時にスイッチ部５４に入力されたパルス信号を示しており、図３（Ｂ）及び図３（Ｃ）は、図３（Ａ）に示されるパルス信号に基づいて切替条件を変更した後のパルス信号を示している。
【００４９】
まず、本実施の形態のＰＷＭ制御部６０は、図３（Ａ）に示されるように、開始デューティ比のパルス信号をスイッチ部５４に入力し（切替開始状態）、開始デューティ比から最終デューティ比に至るまでデューティ比を徐々に増加させ（切替制御状態）、デューティ比が最終デューティ比である１００％に達する（切替終了状態）とスイッチ部５４に対するＰＷＭ制御を停止し、デューティ比１００％を維持した信号を送信する。
【００５０】
図３（Ｂ）に示されるパルス信号は、前回の給電制御において、図３（Ａ）に示されるパルス信号をスイッチ部５４に入力した場合に切替開始状態で給電制御が停止したため、パルス信号の切替条件が変更されたパルス信号である。この場合、図３（Ｂ）に示されるパルス信号の開始デューティ比は、図３（Ａ）に示されるタイミングチャートに示されるパルス信号の開始デューティ比と比較して短く変更されている。これに伴い、切替制御状態の期間が図３（Ａ）に示されるパルス信号の切替制御状態の期間と同じになるように、切替制御状態におけるデューティ比の増加量も変更され、変更された開始デューティ比及び変更されたデューティ比の増加量は、ＰＷＭ制御状態記憶部６２に逐次記憶される。
【００５１】
一方、図３（Ｃ）に示されるパルス信号は、前回の給電制御において、図３（Ａ）に示されるパルス信号をスイッチ部５４に入力した場合に切替制御状態で給電制御が停止したため、パルス信号の切替条件が変更されたパルス信号である。この場合、図３（Ｃ）に示される切替制御状態の期間を図３（Ａ）に示されるパルス信号の切替制御状態の期間に比較して長くなるようにデューティ比の増加量を少なく変更され、変更されたデューティ比の増加量は、ＰＷＭ制御状態記憶部６２に逐次記憶される。
【００５２】
次のステップ１０６では、ＣＰＵ５８へ送信しているリセット信号をアサートする。
【００５３】
次のステップ１０８では、ＰＷＭ制御状態記憶部６２に記憶されている開始デューティ比及びデューティ比の増加量を読み出し、読み出した開始デューティ比及びデューティ比の増加量のパルス信号をスイッチ部５４に入力することで、スイッチ部５４をＰＷＭ制御するＰＷＭ制御処理を開始する。なお、切替条件変更処理が実行されない場合は、切替条件である開始デューティ比及びデューティ比の増加量が変更されないため、前回の給電制御での切替条件と同じ条件でスイッチ部５４のＰＷＭ制御が実行される。
【００５４】
次のステップ１１４では、スイッチ部５４に入力しているパルス信号のデューティ比が、最終デューティ比である１００％に達したか否かを判定する。肯定判定となった場合はステップ１１６へ移行し、否定判定となった場合は最終デューティ比が１００％に達するまで待ち状態となる。
【００５５】
ステップ１１６では、ＣＰＵ５８へ送信しているリセット信号をネゲートする。
【００５６】
次のステップ１１８では、最終デューティ比でスイッチ部５４の制御を続ける。
【００５７】
次のステップ１２０では、制御を終了する旨の制御終了指示を受信したか否かを判定する。制御終了指示とは、例えば、ＣＰＵ２６から送信される待機モード移行信号であり、又はユーザによる二次側電子機器５０に対する動作の停止指示である。否定判定となった場合はステップ１１８へ移行し、最終デューティ比によるスイッチ部５４の制御を継続する。一方、肯定判定となった時点で本プログラムを終了する。
【００５８】
［第２の実施の形態］
本第２の実施の形態では、一次側電子機器２０’において給電用の電力の異常な低下が発生したか否かを判定することにより、一次側電子機器２０’による電力供給開始時に異常が生じたか否かを判定する場合の形態例について説明する。
【００５９】
まず、図４を参照して、第２の実施の形態に係る給電システムの構成を説明する。なお、図４における図１と同一の構成部分については図１と同一の符号を付して、その説明を省略する。
【００６０】
第２の実施の形態に係る電圧監視器２８’は、出力端がコネクタ１２Ａに設けられている一次側端子３０と電気的に接続され、第１電圧Ｖ１又は第２電圧Ｖ２のレベルがＣＰＵ２６へ送信しているリセット信号をアサート状態とするほど低下していないが、規定レベルよりも低下した場合に、前記出力端から異常信号を送信する。
【００６１】
一方、第２の実施の形態に係るＰＷＭ制御部６０’は、入力端の１つがコネクタ１２Ｂに設けられている二次側端子５２と電気的に接続され、コネクタ１２Ｂがコネクタ１２Ａと接続されることで、電圧監視器２８’から異常信号が送信された場合には当該異常信号を受信する。
【００６２】
次に、図５を参照して第２の実施の形態に係る給電システムの作用を説明する。
【００６３】
図５は、ＰＷＭ制御部６０’が異常信号を電圧監視器２８’から受信した場合に、ＰＷＭ制御部６０’によって実行される給電制御プログラムの処理の流れを示すフローチャートである。なお、第１の実施の形態に係る図２のフローチャートと同一のステップは、追加されるステップの前後についてのみ説明し、他の同一のステップについては同一の符号を付して説明を省略する。
【００６４】
ステップ１０８では、パルス信号をスイッチ部５４に入力することでスイッチ部５４のＰＷＭ制御処理を開始する。
【００６５】
次のステップ１１０では、電圧監視器２８’から送信される異常信号を受信したか否かを判定する。肯定判定となった場合はステップ１１２へ移行し、否定判定となった場合はステップ１１４へ移行する。
【００６６】
ステップ１１２では、異常信号を受信したときの切替状態に基づいて切替条件を変更する。本第２の実施の形態では、異常信号を受信したときの切替状態が切替開始状態である場合は開始デューティ比をそれまでよりも短く変更し、異常信号を受信したときの切替状態が切替制御状態である場合は切替制御状態の期間がそれまでよりも長くなるようにデューティ比の増加量を少なく変更する。そして、切替条件を変更したパルス信号を生成し、スイッチ部５４に対するＰＷＭ制御を継続する。なお、変更された開始デューティ比又はデューティ比の増加量は、ＰＷＭ制御状態記憶部６２に逐次記憶される。
【００６７】
ステップ１１４では、デューティ比が最終デューティ比である１００％に達したか否かを判定する。肯定判定となった場合はステップ１１６へ移行し、否定判定となった場合はステップ１１０に戻る。
【００６８】
以上、本発明を上記各実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００６９】
また、上記各実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記各実施の形態に示される全構成要件から幾つかの構成要件が削除されても、効果が得られる限りにおいて、この幾つかの構成要件が削除された構成が発明として抽出され得る。
【００７０】
例えば、上記各実施の形態では、電力負荷５６及びＣＰＵ５８に印加される電圧のレベルを、ＰＷＭ制御部６０及びＰＷＭ制御状態記憶部６２に印加される電圧のレベルと異なるレベルとする場合について説明したが、本発明はこれに限定されるものではなく、図６に示されるように、電力負荷５６及びＣＰＵ５８への給電用の電力を、ＰＷＭ制御部６０及びＰＷＭ制御状態記憶部６２への駆動用の電力として共用させるための接続配線７０を備えることで電力負荷５６及びＣＰＵ５８に印加される電圧のレベルを、ＰＷＭ制御部６０及びＰＷＭ制御状態記憶部６２に印加される電圧のレベルを同じにする形態としてもよい。すなわち、当該形態は、電力負荷５６及びＣＰＵ５８と、ＰＷＭ制御部６０及びＰＷＭ制御状態記憶部６２とが並列に接続される形態である。また、図６に示される構成を、第２の実施の形態に組み合わせる形態としてもよい。
【００７１】
また、上記各実施の形態では、異常が生じたと判定されたときの切替状態が切替開始状態の場合は開始デューティ比を短く変更し、当該切替状態が切替制御状態の場合は切替制御状態の期間を長くするようにデューティ比の増加量を少なく変更する場合について説明したが、本発明はこれに限定されるものではなく、異常が生じたと判定されたときに、開始デューティ比を短く変更すると共に切替制御状態の期間を長くするようにデューティ比の増加量を少なく変更する形態としてもよい。
【００７２】
また、上記各実施の形態では、最終デューティ比を１００％とする場合について説明したが、本発明はこれに限定されるものではなく、最終デューティ比を１００％未満とする形態としてもよい。また、図３に示されるタイミングチャートにおける切替開始状態のパルス数、切替制御状態におけるデューティ比の増加量は一例に過ぎず、本発明はこれに限定されるものではなく、切替開始状態のパルス数が複数ある形態としても、切替制御状態におけるデューティ比の増加量が図３に示される増加量と異なる形態としてもよい。
【００７３】
また、上記各実施の形態では、一次側電子機器２０から出力される第１電圧Ｖ１及び第２電圧Ｖ２は、その大きさを変えられることなく、コネクタ１２Ａ，１２Ｂを介して二次側電子機器５０に印加される場合について説明したが、本発明はこれに限定されるものではなく、例えば、コネクタ１２Ａ，１２Ｂに第１電圧Ｖ１及び第２電圧Ｖ２の大きさを変える機能（ＤＣ／ＤＣ変換機能）を設け、二次側電子機器５０に印加される電圧の大きさを変更する形態としてもよい。
【００７４】
また、上記各実施の形態では、ＰＷＭ制御状態記憶部６２は、切替状態情報として切替開始状態、切替制御状態、及び切替終了状態を示す情報を記憶するとして説明したが、本発明はこれに限定されるものではなく、例えば、パルス信号のデューティ比そのものを記憶する形態としてもよい。この場合、二次側電子機器５０への給電制御の開始においてＰＷＭ制御状態記憶部６２から読み出されるデューティ比が開始デューティ比以上最終デューティ比未満の場合に、前回のＰＷＭ制御部６０による給電制御が途中で停止したと判定される。
【００７５】
また、上記各実施の形態では、当該給電システムを一次側電子機器２０にコネクタ１２Ａ，１２Ｂを介して一つの二次側電子機器５０が接続されている場合について説明したが、本発明はこれに限定されるものではなく、例えば、一次側電子機器２０にコネクタを介して複数の二次側電子機器５０が接続されている形態としてもよい。
【００７６】
その他、上記各実施の形態で説明した給電システムの構成（図１、図４及び図６参照。）は一例であり、本発明の主旨を逸脱しない範囲内において不要な部分を削除したり、新たな部分を追加したりすることができることは言うまでもない。
【００７７】
また、上記各実施の形態で説明した給電制御プログラムの処理の流れ（図２及び図５参照。）も一例であり、本発明の主旨を逸脱しない範囲内において不要なステップを削除したり、新たなステップを追加したり、処理順序を入れ替えたりすることができることは言うまでもない。
【００７８】
更に、上記各実施の形態に係る給電制御プログラムは、ＰＷＭ制御部６０に予めインストールしておく形態や、コンピュータ読み取り可能な記録媒体に格納された状態で提供される形態、有線又は無線による通信手段を介して配信される形態等に適用することができる。
【図面の簡単な説明】
【００７９】
【図１】第１の実施の形態に係る給電システムの構成を示すブロック図（一部回路図）である。
【図２】第１の実施の形態に係る給電制御プログラムの処理の流れを示すフローチャートである。
【図３】第１の実施の形態に係る給電システムにおいて、スイッチ部に入力されるパルス信号のデューティ比の切替状態を示す図である。
【図４】第２の実施の形態に係る給電システムの構成を示すブロック図（一部回路図）である。
【図５】第２の実施の形態に係る給電制御プログラムの処理の流れを示すフローチャートである。
【図６】給電システムの構成の変形例を示すブロック図（一部回路図）である。
【符号の説明】
【００８０】
１２Ａ，１２Ｂ    コネクタ（接続手段）
２０    一次側電子機器（供給装置）
５０    二次側電子機器
５４    スイッチ部（切替手段）
６０    ＰＷＭ制御部（制御手段、判定手段、変更手段）
６２    ＰＷＭ制御状態記憶部（記憶手段）
７０    接続配線
【図１】
2009100495.tif 000003
【図２】
2009100495.tif 000004
【図３】
2009100495.tif 000005
【図４】
2009100495.tif 000006
【図５】
2009100495.tif 000007
【図６】
2009100495.tif 000008